(57)【要約】【課題】容易に開封することができるガゼット状包装袋を提供する。【解決手段】ガゼット状筒状体１の上下端部のうちいずれか一方の端部をシールした後に内容物を装填して、他方の端部を密封シールして包装するガゼット袋において、ガゼット状筒状体１の対向するいずれか一方又は両方の二つ折り側面フィルム３に、その二つ折目ａと直交する方向に切抜孔４が孔設され、前面フィルム２と後面フィルム２の対向内面に二つ折り側面フィルム３が折り込まれた状態で、該前面フィルムと後面フィルムの側端部５から切抜孔４及びその周縁部６、７に亘る切抜孔封鎖シール領域Ａが熱プレスによりヒートシールされ、該前面フィルムと後面フィルムのそれぞれ内面が切抜孔内にてヒートシールされている。【選択図】図１
2004314991.tif 000002
【特許請求の範囲】
【請求項１】
軟質包装フィルムにより形成された互いに対向する前面フィルムと後面フィルムと、該前面フィルムと後面フィルムのそれぞれ左右両側端部に、その対向内面側に二つ折目ａを介して折り込まれるように連設した各々対向する一対の二つ折り側面フィルムとにより形成されるガゼット状筒状体からなり、その筒状体の上下端部のうちいずれか一方の端部をシールした後に内容物を装填して、他方の端部を密封シールして包装するガゼット袋において、ガゼット状筒状体の対向するいずれか一方又は両方の二つ折り側面フィルムに、その二つ折目ａと直交する方向に切抜孔が孔設され、前記前面フィルムと後面フィルムの対向内面に二つ折り側面フィルムが折り込まれた状態で、該前面フィルムと後面フィルムの側端部から切抜孔及びその周縁部に亘る切抜孔封鎖シール領域が熱プレスされて該前面フィルムと後面フィルムのそれぞれ内面が切抜孔内にてヒートシールされていることを特徴とする易開封ガゼット袋。
【請求項２】
熱プレスされた前記前面フィルムと後面フィルムの側端部に、切り裂き開封用の切込部が設けられていることを特徴とする請求項１記載の易開封ガゼット袋。
【請求項３】
前記軟質包装フィルムは積層フィルム材料により構成され、該フィルムにより形成された筒状体の最外面層の融点より最内面層の融点の方が低融点であることを特徴とする請求項１又は２記載の易開封ガゼット袋。
【請求項４】
前記軟質包装フィルムは積層フィルム材料により構成され、該フィルムにより形成された筒状体の最外面層の融点と最内面層の融点が同じ融点であることを特徴とする請求項１又は２記載の易開封ガゼット袋。
【発明の詳細な説明】
【０００１】
【産業上の利用分野】
本発明は、軟質包装フィルムにより形成されたガゼット袋において、切り裂き開封が容易な易開封ガゼット袋に関する。
【０００２】
【従来の技術】
一般に軟質包装フィルム材料により製袋される包装袋（パウチ）としては、二つ折りしたり２枚重ねにして重ね合わせた矩形状の軟質包装フィルム材料の側端部と上下端部のうちいずれか一端部との二方周囲又は両側端部と上下端部のうちいずれか一端部の三方周囲をヒートシールして製袋した平坦状包装袋がある。
【０００３】
また、重ね合わせた矩形状の軟質包装フィルム材料の前面フィルムと後面フィルムの互いに対向する左右両側端部の内面側に二つ折りにて折り込まれたそれぞれ側面フィルムを備えて筒状体とした後、該筒状体の上下端部のうちいずれか一端部をヒートシールして製袋したガゼット状包装袋があり、それぞれ平坦状包装袋及びガゼット状包装袋は、残りの一端部の開口部より内容物を充填した後に、該開口部をヒートシールして密封包装される。
【０００４】
一方の平坦包装袋は、ヒートシールされた周囲シール部から、その周囲シール部の内側の内容物を包装した包装収納部分に亘って２枚の軟質包装フィルム材料のみで構成されているため、周囲シール部の一部に切り裂き開封用の切込部（ノッチ）を設けるだけで、開封する際には、この切込部から２枚のフィルム材料を切り裂くことにより、容易に開封することができるものである。
【０００５】
【発明が解決しようとする課題】
ところが、他方のガゼット状包装袋は、前面フィルムと後面フィルムの互いに対向する左右両側端部の内面側に、二つ折りにて折り込まれた側面フィルムを備えていて、ヒートシールされた周囲シール部から、内側の内容物を包装した収納部に亘って、４枚の軟質包装フィルム材料で構成されているため、周囲シール部の一部に切り裂き開封用の切込部（ノッチ）を設けても、開封する際には、この切込部から４枚のフィルム材料を切り裂く必要があり、大きな力が必要であって容易に開封することができないものであった。
【０００６】
本発明の課題は、上記問題点を解消することにあり、容易に開封することができるガゼット状包装袋を提供することにある。
【０００７】
【課題を解決するための手段】
本発明の請求項１に係る発明は、軟質包装フィルムにより形成された互いに対向する前面フィルム２と後面フィルム２と、該前面フィルム２と後面フィルム２のそれぞれ左右両側端部に、その対向内面側に二つ折目ａを介して折り込まれるように連設した各々対向する一対の二つ折り側面フィルム３、３とにより形成されるガゼット状筒状体１からなり、その筒状体１の上下端部のうちいずれか一方の端部をシールした後に内容物を装填して、他方の端部を密封シールして包装するガゼット袋において、ガゼット状筒状体１の対向するいずれか一方又は両方の二つ折り側面フィルム３に、その二つ折目ａと直交する方向に切抜孔４が孔設され、前記前面フィルム２と後面フィルム２の対向内面に二つ折り側面フィルム３、３が折り込まれた状態で、該前面フィルム２と後面フィルム２の側端部５から切抜孔４及びその周縁部６、７に亘る切抜孔封鎖シール領域Ａが熱プレスされて該前面フィルム２と後面フィルム２のそれぞれ内面が切抜孔４内にてヒートシールされていることを特徴とする易開封ガゼット袋である。
【０００８】
本発明の請求項２に係る発明は、上記請求項１に係る易開封ガゼット袋において、熱プレスされた前記前面フィルム２と二つ折り側面フィルム３と後面フィルム２の重ね合わせヒートシールされた側端部５に、切り裂き開封用の切込部８が設けられていることを特徴とする易開封ガゼット袋である。
【０００９】
本発明の請求項３に係る発明は、上記請求項１又は２に係る易開封ガゼット袋において、前記軟質包装フィルムは積層フィルム材料により構成され、該フィルムにより形成されたガゼット状筒状体１の最外面層Ｏの融点より最内面層Ｉの融点の方が低融点であることを特徴とする易開封ガゼット袋である。
【００１０】
本発明の請求項４に係る発明は、上記請求項１又は２に係る易開封ガゼット袋において、前記軟質包装フィルムは積層フィルム材料により構成され、該フィルムにより形成されたガゼット状筒状体１の最外面層Ｏの融点と最内面層Ｉの融点が略同じ融点であることを特徴とする易開封ガゼット袋である。
【００１１】
【発明の実施の形態】
本発明の易開封ガゼット袋を、その発明の実施の形態に基づいて、以下に詳細に説明する。
【００１２】
図１（ａ）は、ガゼット状筒状体１の全体斜視図であり、軟質包装フィルムにより形成された互いに対向する前面フィルム２と後面フィルム２と、該前面フィルム２と後面フィルム２のそれぞれ左右両側端部に、その対向内面側に二つ折目ａを介して、ガゼット状に折り込まれるように連設した各々対向する一対の二つ折り側面フィルム３、３とにより形成されている。
【００１３】
前記ガゼット状筒状体１の形成に使用する軟質包装フィルムは、例えば、その筒状体１の最外面となる最外層Ｏの融点ＭＯ  に対して、最内面となる最内層Ｉ（シーラント層）の融点ＭＩ  は、低く（ＭＯ  ＞ＭＩ  に）設定されている。その場合は、例えば、最外層Ｏにポリエチレンテレフタレート樹脂層、最内層Ｉにポリエチレン樹脂層が使用できる。また必要に応じて、その筒状体１の最外面となる最外層Ｏの融点ＭＯ  に対して、最内面となる最内層Ｉ（シーラント層）の融点は、同一（ＭＯ  ＝ＭＩ  ）若しくは略同一（ＭＯ  ≒ＭＩ  ）に設定されていてもよい。その場合は、最外層Ｏと最内層Ｉとは同じ樹脂層（若しくはブレンド樹脂層）が使用でき、例えばポリエチレン樹脂とポリエチレンテレフタレート樹脂のうちいずれか一方の樹脂層（若しくはそれらを適宜な配合比でブレンドした樹脂層）が使用できる。
【００１４】
前記ガゼット状筒状体１は、図１（ａ）に示すように、その筒周囲に筒形成用の接合シール部のない全体が予め筒状に形成された軟質包装フィルム使用して二つ折目ａと外折目ｂを付与して成形することにより、前面フィルム２と後面フィルム２と、該前面フィルム２と後面フィルム２のそれぞれ左右両側端部に、その対向内面側に二つ折目ａを介してガゼット状に折り込まれるように連設した各々対向する一対の二つ折り側面フィルム３、３とからなるガゼット状筒状体１とすることができる。
【００１５】
また、前記ガゼット状筒状体１は、その他に、図２（ａ）〜（ｃ）に上面図に示すように、ガゼット状筒状体１の筒周囲に筒形成用の接合シール部２３ａ、２２ａを１個所乃至４個所に設けて、上記筒状体１と同様のガゼット状筒状体１とすることができる。
【００１６】
図１（ａ）に示すような上記ガゼット状筒状体１（同様に図２（ａ）〜（ｃ））は、図１（ａ）に示すように、その前面フィルム２と後面フィルム２のそれぞれ上端部に上端シール部２ａ、２ａ（シール予定部）を、その下端部に下端シール部２ｂ、２ｂを備え、また、二つ折り側面フィルム３、３のそれぞれ上端部には上端シール部３ａ、３ａを、その下端部には下端シール部３ｂ、３ｂを備えている。
【００１７】
本発明の易開封ガゼット袋は、対向する前記二つ折り側面フィルム３、３のうち、いずれか一方又は両方の二つ折り側面フィルム３に、その二つ折目ａと直交する方向に切抜孔４が孔設されている。
【００１８】
本発明における前記切抜孔４の形状は、少なくとも、二つ折り側面フィルム３に、その二つ折目ａと直交する方向に形成されていれば、特に限定されるものではないが、図示するように連続する直線状に設けてもよいし、あるいは断続する直線状に設けてもよい。また、直線上に沿って連続的に点在するように点状に設けてもよい。
【００１９】
また、前記切抜孔４の孔設位置は、少なくとも二つ折り側面フィルム３におけるガゼット袋切り裂き開封予定線（上端シール部２ａ、３ａ又は下端シール部２ｂ、３ｂに平行な線）上に設定されるものであるが、例えば、図１（ａ）に示すように、ガゼット状筒状体１の上端シール部３ａ寄りの位置、又は下端シール部３ｂ寄りの位置、上端シール部３ａと下端シール部３ｂとの間の適宜位置、あるいは必要に応じて上端シール部３ａ又は下端シール３ｂの領域内に形成してもよい。
【００２０】
ガゼット状筒状体１の二つ折り側面フィルム３、３が折目ａを介して前面フィルム２と後面フィルム２の対向内面に折り込まれて、図１（ｂ）に示すように、対向する上端シール部２ａ、２ａと、上端シール部２ａ、３ａとが、平坦に重ね合わせられている。
【００２１】
そして、図１（ｂ）に示すように、平坦に重ね合わせられた筒状体１の切抜孔４と、該切抜孔４の領域を囲むように前面フィルム２と後面フィルム２の側端部５からその周縁部６、６、７に亘る領域を含む切抜孔封鎖シール領域Ａ（単斜線部）が、ヒートシーラーにて平坦に熱プレスされ、該前面フィルム２と後面フィルム２のそれぞれ最内面の層（Ｉ）同士が、切抜孔４内にて互いにヒートシールされていて、これにより切抜孔４は封鎖している。そして、上記切抜孔４内は前面フィルム２と後面フィルム２の２枚のフィルムだけで構成されている。
【００２２】
なお、切抜孔封鎖シール領域Ａ内の前面フィルム２と二つ折り側面フィルム３と後面フィルム２により重ね合わせヒートシールされた側端部５には、図示するように、必要に応じて、切り裂き開封用の切込部８（ノッチ）を設けることができる。
【００２３】
さらに、平坦に重ね合わせられた筒状体１の互いに重ね合わせられている上端シール部２ａ、２ａと上端シール部２ａ、３ａ、又は下端シール部２ｂ、２ｂと下端シール部２ｂ、３ｂが、製袋シール領域Ｂ（複斜線部）にて筒状体１の最内面の層（Ｉ）であるシーラントの融点、若しくはその近傍の温度で、ヒートシーラーにてヒートシールされて製袋されているものである。
【００２４】
なお筒状体１の最外層（Ｏ）の融点ＭＯ  を、最内層（Ｉ）の融点ＭＩ  より高く（ＭＯ  ＞ＭＩ  ）設定してある場合は、最内層（Ｉ）であるシーラント層の融点、若しくはその近傍の温度でヒートシールすることにより、ヒートシール領域の最内層（Ｉ）同士がヒートシールされるだけで、同じヒートシール領域の二つ折り側面フィルム３、３上端シール部３ａ及び下端シール部３ｂにおける二つ折り込み内面側の最外面の層（Ｏ）同士はヒートシールされないものである。
【００２５】
また、筒状体１の最外層（Ｏ）の融点ＭＯ  を、最内層（Ｉ）の融点ＭＩ  と同一（ＭＯ  ＝ＭＩ  ）又は略同一（ＭＯ  ≒ＭＩ  ）に設定してある場合は、最内層（Ｉ）であるシーラント層の融点、若しくはその近傍の温度でヒートシールすることにより、ヒートシール領域の最内層（Ｉ）同士がヒートシールされるとともに、同じヒートシール領域の二つ折り側面フィルム３、３上端シール部３ａ及び下端シール部３ｂにおける二つ折り込み内面側の最外面の層（Ｏ）同士もヒートシールされるものである。
【００２６】
このようにして製袋された本発明の易開封ガゼット袋は、筒状体１のヒートシールされていない残りの下端シール部２ｂ、２ｂと下端シール部２ｂ、３ｂ、又は上端シール部２ａ、２ａと上端シール部２ａ、３ａを開口部として、該開口部から所定の内容物を充填した後に、該開口部である前記下端シール部又は上端シール部を、最内面の層（Ｉ）であるシーラントの融点、若しくはその近傍の温度でヒートシールして密封包装される。
【００２７】
本発明の易開封ガゼット袋の筒状体１の各種の形態としては、例えば、図２（ａ）に示すように、前面フィルム２と後面フィルム２と、折目ａにて折り込まれた二つ折り側面フィルム３、３とを、それぞれ別枚の軟質包装フィルムとして用意し、前面フィルム２と後面フィルム２との対向する両側端部の内面に、それぞれ折目ａにて折り込まれた二つ折り側面フィルム３、３を装填して組み合わせ、それら最内面の層（Ｉ）の重ね合わせ端部同士（４個所）をヒートシールした側端シール部２３ａ、２３ａ、２３ａ、２３ａにより筒状に接合した形態のものである。
【００２８】
また、図２（ｂ）に示す筒状体１は、前面フィルム２と後面フィルム２と、折目ａにて折り込まれた二つ折り側面フィルム３、３とを、１枚の連続する軟質包装フィルムとして用意し、前面フィルム２と後面フィルム２との対向する両側端部の内面に、それぞれ折目ａにて折り込まれた二つ折り側面フィルム３、３を装填して、後面フィルム２の最内面の層（Ｉ）の互いの端部同士（１個所）をヒートシールした背シール部２２ａにより筒状に接合した形態のものである。
【００２９】
また、図２（ｃ）に示す筒状体１は、前面フィルム２と後面フィルム２と、折目ａにて折り込まれた二つ折り側面フィルム３、３とを、１枚の連続する軟質包装フィルムとして用意し、前面フィルム２と後面フィルム２との対向する両側端部の内面に、それぞれ折目ａにて折り込まれた二つ折り側面フィルム３、３を装填して、後面フィルム２と一方の二つ折り側面フィルム３の最内面の層（Ｉ）の互いの端部同士（１個所）をヒートシールした側端シール部２３ａにより筒状に接合した形態のものである。
【００３０】
図３（ａ）〜（ｂ）は、本発明のガゼット袋の他の実施の形態であって、図３（ａ）に示すように、筒状体１の切抜孔４及び領域Ａを上端シール部２ａ又は下端シール部２ｂの領域Ｂ内に設けたものであり、図３（ｂ）は、平坦に重ね合わせた筒状体１の両側の下端シール部２ｂ、３ｂの上側に、ヒートシーラーにより斜めシール部２３ｂ、２３ｂを設け、筒状体１の最内面の層（Ｉ）の互いの重ね合わせ内面同士をヒートシールして、自立可能なガゼット袋としたものである。
【００３１】
本発明のガゼット袋に使用する軟質包装フィルムとしての積層フィルムの積層材料構成は、本発明において特に限定されるものではないが、その一例として、（Ｉ）、（ＩＩ）を下記に示す。なお、接着剤の種類は特に限定しないが、例えば、ウレタン系の接着剤が使用され、また最内層のポリエチレンフィルムとしては、容易な引き裂き性の点から、好ましくは低密度ポリエチレンフィルム、直鎖型低密度ポリエチレンフィルムが使用される。（  ）内はフィルム厚さを示す。
【００３２】
（Ｉ）
［最外層側］ポリエチレンテレフタレートフィルム（１２μｍ）／接着剤／アルミニウム箔（７μｍ）／接着剤／易引裂性延伸ポリエチレンフィルム（２５μｍ）／接着剤／易引裂性ポリエチレンフィルム（シーラント層、６０μｍ）［最内層側］
【００３３】
（ＩＩ）
［最外層側］ポリエチレンテレフタレートフィルム（１２μｍ）／接着剤／ポリエチレンフィルム（１５μｍ）／接着剤／アルミニウム箔（７μｍ）／接着剤／ポリエチレンフィルム（１５μｍ）／接着剤／易引裂性延伸ポリエチレンフィルム２５μｍ／接着剤／ポリエチレンフィルム（１５μｍ）／接着剤／易引裂性ポリエチレンフィルム（シーラント層、６０μｍ）［最内層側］
【００３４】
【発明の効果】
本発明のガゼット袋は、前面フィルムと後面フィルムの互いに対向する左右両側端部の内面側に折り込まれた二つ折り側面フィルムの切り裂き開封予定線に沿って切抜孔を備え、該切抜孔を覆うように前面フィルムと後面フィルムの２枚のフィルムがヒートシールされて切抜孔を封鎖している。
【００３５】
そのため、内容物を充填密封包装後のガゼット袋は、その切抜孔が前面フィルムと後面フィルムの２枚のフィルム同士のヒートシールによって封鎖されているために密封性を保持できる。
【００３６】
また、本発明のガゼット袋を開封する際には、ガゼット袋の側端部から必要に応じて切込部、ノッチを介して、切り裂き開封予定線上に形成された切抜孔に沿って２枚のフィルムを切り裂くことにより、前面フィルムと後面フィルムと二つ折り側面フィルムとの４枚構成のガゼット袋部分の側部を容易に開封することができ、その切抜孔を切り裂いた後は、残りの切り裂き開封予定線に沿って前面フィルムと後面フィルムの２枚構成のガゼット袋部分を切り裂くことになるので、容易に切り裂き開封することができ、少ない力で容易に開封することができるガゼット状包装袋を提供することができるものである。
【図面の簡単な説明】
【図１】（ａ）は本発明のガゼット袋を構成するガゼット状筒状体の一例を説明する斜視図、（ｂ）は本発明のガゼット袋の一例を説明する斜視図。
【図２】本発明のガゼット袋を構成するガゼット状筒状体の他の例を説明する上面図。
【図３】（ａ）〜（ｂ）は本発明のガゼット袋の他の例を説明する正面図。
【符号の説明】
１…ガゼット状筒状体  ２…前面及び後面フィルム  ３…二つ折り側面フィルム４…切抜孔  ５…前面フィルムと後面フィルムの側端部  ６、７…周縁部      ８…切込部（ノッチ）
Ａ…切抜孔封鎖シール領域  Ｂ…製袋シール領域  Ｉ…最内層  Ｏ…最外層
【図１】
2004314991.tif 000003
【図２】
2004314991.tif 000004
【図３】
2004314991.tif 000005